(57)【要約】【課題】不要輻射ノイズの低減【解決手段】この液晶表示装置１００は、複数の画素Ａを有する表示部としての液晶パネル１０と、制御部２００とを備えている。制御部２００は、画素Ａに信号を送る機能を有している。液晶パネル１０の複数の画素Ａは複数のグループＧ１〜Ｇ４に分けられる。制御部２００は、液晶パネル１０の複数のグループＧ１〜Ｇ４の画素Ａに送られる信号のクロック周波数の周波数帯を設定する。この制御部２００は、液晶パネル１０の複数のグループＧ１〜Ｇ４のうち、少なくとも一つのグループ（例えば、Ｇ１、Ｇ２）には、他のグループ（例えば、Ｇ３、Ｇ４）と異なる周波数帯を設定することができる。これにより、液晶表示装置１００全体として不要輻射ノイズのピークを低減させることができ、不要輻射ノイズの影響を小さくすることができる。【選択図】図７
2010134162.tif 000002
【特許請求の範囲】
【請求項１】
複数の画素を有する表示部と、
前記画素に信号を送る制御部と、
を備え、
前記表示部の画素は複数のグループに分けられており、
前記制御部は、前記画素に送られる信号のクロック周波数の周波数帯について、前記表示部に設定された複数のグループのうち、少なくとも一つのグループには、他のグループと異なる周波数帯を設定する表示装置。
【請求項２】
前記制御部は、
信号の基準クロック周波数を定めるクロック発生回路と、
前記クロック発生回路で定められた信号の基準クロック周波数を一の周波数帯に拡散させる拡散回路と、
前記拡散回路によって基準クロック周波数が拡散した周波数帯を基準に、前記異なる周波数帯を形成する分離回路と、
を備え、
前記分離回路によって形成された周波数帯に基づいて、前記表示部に設定された複数のグループに周波数帯を設定する、請求項１に記載の表示装置。
【請求項３】
前記クロック発生回路および拡散回路は、スペクトラム拡散クロックジェネレータで構成されている、請求項２に記載の表示装置。
【請求項４】
前記グループは、前記表示部のうち連続した表示領域に配設された画素が一つのグループに設定されている、請求項１から３までの何れか一項に記載の表示装置。
【請求項５】
前記表示部は平面形状であり、前記グループは、前記表示部を少なくとも一方向において２つに分割された表示領域毎に分けられている、請求項１から３までの何れか一項に記載の表示装置。
【請求項６】
前記表示部は平面形状であり、前記グループは、前記表示部を２方向において、それぞれ２つに分割された４つの表示領域毎に分けられている、請求項１から３までの何れか一項に記載の表示装置。
【発明の詳細な説明】
【技術分野】
【０００１】
本発明は表示装置に関する。特に、複数の画素を有する表示装置に関し、各画素に送られる信号のクロック周波数の制御に関する。
【背景技術】
【０００２】
表示装置、例えば、液晶表示装置（ＬＣＤ：liquid crystal display）は、複数の画素を有し、各画素の表示を組み合わせて所望の画像を表示する。さらに、動画を表示する場合には、所定のタイミングで、各画素の表示を変更する。各画素に送られる信号は、クロック周波数によってタイミングが制御される。かかる液晶表示装置は、例えば、特開２００６−２３５１１８号公報（特許文献１）に開示されている。同公報では、信号のタイミングを制御するクロック周波数をスペクトラム拡散によって変調させ、電磁妨害（ＥＭＩ）を低減させる技術が利用されている。
【特許文献１】特開２００６−２３５１１８号公報
【発明の開示】
【発明が解決しようとする課題】
【０００３】
しかしながら、クロック周波数をスペクトラム拡散によって変調させる場合でも、各画素に送られる信号から生じる不要輻射ノイズが生じる場合がある。特に、大型の表示装置では、多くの画素を備えており、それぞれに信号が送られる。この際、各信号のクロック周波数をスペクトラム拡散によって変調させている場合、各信号の伝送によって、不要輻射ノイズのピークが重なり、極めて大きなノイズを発生させる場合がある。かかる表示装置において、不要輻射ノイズの影響をできる限り低減させたい。
【課題を解決するための手段】
【０００４】
本発明に係る表示装置は、複数の画素を有する表示部と、画素に信号を送る制御部とを備えている。表示部の画素は複数のグループに分けられている。制御部は、画素に送られる信号のクロック周波数の周波数帯について、表示部に設定された複数のグループのうち、少なくとも一つのグループには、他のグループと異なる周波数帯を設定する。
【０００５】
この場合、制御部は、信号の基準クロック周波数を定めるクロック発生回路と、クロック発生回路で定められた信号の基準クロック周波数を一の周波数帯に拡散させる拡散回路と、拡散回路によって基準クロック周波数が拡散した周波数帯を基準に、異なる周波数帯を形成する分離回路とを備えていてもよい。そして、分離回路によって形成された周波数帯に基づいて、表示部に設定された複数のグループに周波数帯を設定するとよい。
【０００６】
また、クロック発生回路および拡散回路は、スペクトラム拡散クロックジェネレータで構成されていてもよい。また、グループは、表示部のうち連続した表示領域に配設された画素が一つのグループに設定されていてもよい。例えば、表示部が平面形状である場合には、グループは、表示部を少なくとも一方向において２つに分割された表示領域毎に分けられていてもよい。また、グループは、表示部を２方向において、それぞれ２つに分割された４つの表示領域毎に分けられていてもよい。
【発明の効果】
【０００７】
この表示装置によれば、表示部の画素は、複数のグループに分けられる。そして、制御部は、画素に送られる信号のクロック周波数の周波数帯について、表示部に設定された複数のグループのうち、少なくとも一つのグループには、他のグループと異なる周波数帯を設定する。この場合、クロック周波数の周波数帯が異なるグループから生じる不要輻射ノイズは、ピークが出る周波数が異なる傾向がある。液晶表示装置は、少なくとも一つのグループに、他のグループとは異なる周波数帯が設定されることによって、液晶表示装置全体として不要輻射ノイズのピークを低減させ、不要輻射ノイズの影響を小さくすることができる。
【発明を実施するための最良の形態】
【０００８】
以下、本発明の一実施形態を図面に基づいて説明する。なお、実質的に同じ作用を奏する部材、部位には適宜同じ符号を付している。この実施形態では、本発明にかかる表示装置は、表示部として液晶パネルを用いた液晶表示装置である。
【０００９】
図７は、本発明の概要を示している。この液晶表示装置１００は、図７に示すように、複数の画素Ａを有する表示部としての液晶パネル１０と、制御部２００とを備えている。制御部２００は、画素Ａに信号を送る機能を有している。液晶パネル１０の複数の画素Ａは複数のグループＧ１〜Ｇ４に分けられる。制御部２００は、液晶パネル１０の複数のグループＧ１〜Ｇ４の画素Ａに送られる信号のクロック周波数の周波数帯を設定する。この制御部２００は、液晶パネル１０の複数のグループＧ１〜Ｇ４のうち、少なくとも一つのグループ（例えば、Ｇ１、Ｇ２）には、他のグループ（例えば、Ｇ３、Ｇ４）と異なる周波数帯を設定することができる。このように液晶パネル１０の画素を複数のグループＧ１〜Ｇ４に分け、画素に送る信号のクロック周波数の周波数帯を異ならせることができる。これによって、各グループＧ１〜Ｇ４において不要輻射ノイズのピークが出る周波数をずらすことができる。これにより、液晶表示装置１００全体として不要輻射ノイズのピークを低減させることができ、不要輻射ノイズの影響を小さくすることができる。
【００１０】
以下、かかる液晶表示装置１００を説明する。ここでは、先ず、かかる液晶表示装置１００の構造を概略的に説明し、その後、かかる液晶表示装置１００の各画素Ａに送られる信号のクロック周波数の制御を説明する。なお、以下は、液晶表示装置１００について一例を示すに過ぎず、その具体的構成はこの実施形態に限定されない。
【００１１】
図１は、かかる液晶表示装置１００の断面構成を模式的に示している。液晶表示装置１００は、図１に示すように、液晶表示部としての液晶パネル１０と、バックライト２０とを備えている。この液晶表示装置１００の液晶パネル１０は、概して、全体として矩形の形状を有しており、一対の透光性基板１１および１２（ガラス基板）で構成されている。この実施形態では、両基板１１および１２のうち、表側はカラーフィルタ基板１１（ＣＦ基板）であり、裏側がアレイ基板１２（ＴＦＴ基板）である。
【００１２】
この実施形態では、図１に示すように、カラーフィルタ基板１１とアレイ基板１２は、それぞれ画素領域１０ａ（画素が形成されている領域）を有している。カラーフィルタ基板１１およびアレイ基板１２は、互いに対向して配置されている。カラーフィルタ基板１１とアレイ基板１２の間には、画素領域１０ａの周囲（外周縁部）を周方向に囲むように、シール材１５が設けられている。
【００１３】
カラーフィルタ基板１１とアレイ基板１２の間には液晶層１３が設けられている。液晶層１３は、液晶分子を含む液晶材料が封入されている。かかる液晶材料は、カラーフィルタ基板１１およびアレイ基板１２の間の電界印加に伴って液晶分子の配向方向が操作され、光学特性が変化する。シール材１５はかかる液晶層１３の液晶材料を封止している。
【００１４】
以下、アレイ基板１２とカラーフィルタ基板１１を順に説明する。図２から図４は液晶パネル１０の画素領域１０ａを拡大した図である。このうち図２はカラーフィルタ基板１１とアレイ基板１２を貼り合せた状態の断面図を示している。また、図３はアレイ基板１２の画素領域部分の平面図を示し、図４はカラーフィルタ基板１１の画素領域部分の平面図を示している。図３および図４中の破線Ａで囲まれた領域は、この液晶表示装置１００の一画素を構成する領域を示している。この液晶パネル１０には、図３および図４に示す画素Ａが行列（マトリクス）状に配列されている。
【００１５】
この実施形態では、アレイ基板１２は、図２および図３に示すように、ガラス基板４１の表側（液晶層１３側）に、画素電極４２、バスライン４３ａ〜４３ｃ（bus line）、平坦化層４４及び配向膜４６（水平配向膜）、薄膜トランジスタ４７（ＴＦＴ：thin film transistor）が形成されている。図２および図３中、画素電極４２は透明導電材料であるＩＴＯ（indium tin oxide：酸化インジウムスズ）からなり、これらの画素電極４２には画像に応じた電圧がバスライン４３ａ〜４３ｃ及び薄膜トランジスタ４７（図３参照）を介して所定のタイミングで供給される。平坦化層４４は絶縁材料によって形成されており、画素電極４２及びバスライン４３ａ〜４３ｃ（図３参照）を覆っている。平坦化層４４の上にはポリイミド等からなる配向膜４６が形成されている。この配向膜４６の表面には、電圧を印加していないときの液晶分子の配向方向を決定するために、配向処理が施されている。
【００１６】
また、カラーフィルタ基板１１は、図２および図４に示すように、ガラス基板５１の裏側（液晶層１３側）にブラックマトリクス５２、カラーフィルタ５３、平坦化層５４、対向電極５５及び配向膜５６（水平配向膜）が形成されている。ブラックマトリクス５２は画素間の領域を光が透過しないようにするため、Ｃｒ（クロム）等の金属により形成されている。カラーフィルタ５３には赤（Ｒ）、緑（Ｇ）、青（Ｂ）の３色があり、図２から図４に示すように、アレイ基板１２の１つの画素電極４２にＲ・Ｇ・Ｂいずれか１つのカラーフィルタ５３が対向している。平坦化層５４は、図２に示すように、ブラックマトリクス５２及びカラーフィルタ５３を覆うように形成されており、この平坦化層５４の下側にはＩＴＯ（indium tin oxide）からなる対向電極５５が形成されている。また、対向電極５５の下側には配向膜５６が形成されている。この配向膜５６の表面にも配向処理が施されている。なお、アレイ基板１２の配向膜４６の配向方向と、カラーフィルタ基板１１の配向膜５６の配向方向とは９０°異なっている。
【００１７】
ガラス基板４１，５１は、図２に示すように、球形又は円柱形のスペーサ５９（図示例では、球形）を挟んで配置されている。スペーサ５９は、例えば、プラスチックやガラスなどにより形成されている。ガラス基板４１，５１のギャップは、上述したシール材１５（図１参照）およびスペーサ５９によって保持され、液晶層１３が一定に維持されている。
【００１８】
更に、図１および図２に示すように、カラーフィルタ基板１１（ガラス基板５１）の表面側及びアレイ基板１２（ガラス基板４１）の裏面側にはそれぞれ偏光板１７、１８が貼り付けられている。いわゆるノーマリホワイト型の液晶表示装置では２枚の偏光板１７、１８の偏光軸は互いに直交するように配置される。また、いわゆるノーマリブラック型の液晶表示装置では２枚の偏光板１７、１８の偏光軸は並行に配置される。この実施形態では、図１に示すように、液晶パネル１０の表側は、ベゼル３０が装着されている。液晶パネル１０の裏側には、フレーム３２が装着されている。そして、ベゼル３０とフレーム３２は、液晶パネル１０を支持する。さらに、フレーム３２は、液晶パネル１０の画素領域１０ａに相当する部分が開口している。かかる液晶パネル１０の裏側には、バックライトシャーシ２４に支持されたバックライト２０が装着されている。
【００１９】
バックライト２０は、図１に示すように、液晶パネル１０の裏側（図１中の下側）に配置された外部光源である。この実施形態では、バックライト２０は、複数の光源２２（例えば、冷陰極管や発光ダイオード（ＬＥＤ）など）と、バックライトシャーシ２４とを備えている。バックライトシャーシ２４は、表側（液晶パネル１０側）に向けて開口した箱形形状を有しており、バックライトシャーシ２４内には、複数の光源２２が配置されている。バックライトシャーシ２４の開口には、複数枚の光学シート２６が積層されて配置されている。
【００２０】
光学シート２６は、例えば、裏側から順に、拡散板、拡散シート、レンズシート、および輝度上昇シートを有している。バックライトシャーシ２４は、上述した液晶パネル１０に光源２２を向けた状態で、フレーム３２の裏側に装着されている。この際、光学シート２６は、液晶パネル１０のフレーム３２の裏面とバックライトシャーシ２４の表面とに挟まれる。また、液晶表示装置１００は、図１に示すように、制御部２００を備えている。制御部２００は、表示する画像や映像に応じて、バックライト２０の輝度（明るさ）を調整する制御装置（例えば、冷陰極管インバータ回路などの調光回路）を備えている。かかる制御部２００は、例えば、光源２２に投入する電力を調整して、バックライト２０の明るさを調整する。この場合、制御部２００は、バックライト２０に投入する電力を高くすることによってバックライト２０を明るく（輝度を高く）でき、バックライト２０に投入する電力を低くすることによってバックライト２０を暗く（輝度を低く）できる。
【００２１】
この液晶表示装置１００は、液晶パネル１０に、カラーフィルタ基板１１とアレイ基板１２に制御された電圧を印加して液晶層１３中の液晶分子を操作する。そして、かかる液晶パネル１０は、画素Ａ毎（より詳しくは、ＲＧＢで規定されるサブ画素ＡＲ、ＡＧ、ＡＢ毎）に、液晶層１３中の液晶分子が操作されることによって、バックライト２０の光を遮断または通過させ、さらに光の透過率が変えられる。さらに、液晶表示装置１００は、バックライト２０の輝度等も制御しつつ所望の画像を表示させる。
【００２２】
次に、液晶パネル１０の駆動構造をさらに説明する。
【００２３】
この液晶表示装置１００は、図３に示すように、バスライン４３ａは、薄膜トランジスタ４７のソースに信号を送るソースバスライン（データバスライン）である。また、バスライン４３ｂは、薄膜トランジスタ４７のゲートに信号（走査信号）を送るゲートバスラインである。ソースバスライン４３ａは、ソースドライバ７１に配線されている。また、ゲートバスライン４３ｂは、ゲートドライバ７２に配線されている。また、バスライン４３ｃは、補助容量Ｃｓのバスライン（Ｃｓバスライン）である。補助容量Ｃｓは、Ｃｓバスライン４３ｃと画素電極４２とに絶縁膜を介させたコンデンサ(Ｃｃｓ)である。図５は、かかる液晶パネル１０の各画素Ａ（正確には、画素Ａを構成するＲＧＢのサブ画素ＡＲ、ＡＧ、ＡＢ）に構成される回路図を示している。
【００２４】
図５に示されるように、この液晶表示装置１００では、ソースバスライン４３ａと、ゲートバスライン４３ｂと、Ｃｓバスライン４３ｃと、薄膜トランジスタ４７によって画素電極４２が充電される。また、画素電極４２は、図２および図５に示すように、液晶層１３を間に挟んで対向するカラーフィルタ基板１１側の対向電極５５との間に、電荷を保持するコンデンサ(Ｃｌｃ)を形成する。液晶表示装置１００の画素Ａは、上記２つのコンデンサで充電された電荷を保持することで正常に駆動する。図６は、液晶パネル１０の駆動構造を示すブロック図である。
【００２５】
液晶表示装置１００は、図６に示すように、制御部２００を備えている。制御部２００は、ＩＣ、ＬＳＩ、ＣＰＵ、不揮発性メモリーなどを組み合わせて構成されており、予め設定されたプログラムに沿って種々の電子的な処理を行い、所要の機能を奏する装置である。制御部２００によって、駆動が制御されている。この制御部２００は、信号入力部２０１と、タイミング制御部２０２と、電源２０３とを備えている。
【００２６】
信号入力部２０１は、外部システム(図示せず)から複数の制御信号が入力される。外部システムから入力される制御信号には、液晶パネル１０に表示させる映像に関する信号が含まれる。この実施形態では、信号入力部２０１に入力された制御信号を基に、タイミング制御部２０２を通じてソースドライバ７１、ゲートドライバ７２に制御信号が送られる。タイミング制御部２０２は、外部システム(図示せず)から入力された複数の制御信号に基づいて、ゲートドライバ７２とソースドライバ７１を駆動させるための制御信号を生成する。電源２０３は、液晶表示装置１００の各構成部に動作電源を供給すると共に液晶パネル１０の共通電極電圧（Vcom）を生成して対向電極５５に供給する。
【００２７】
この実施形態では、ソースドライバ７１は、図６に示すように、液晶パネル１０の画素Ａ（正確には、画素Ａを構成するＲＧＢのサブ画素ＡＲ、ＡＧ、ＡＢ）のマトリックスの各行に配線されたソースバスライン４３ａ（１）〜ソースバスライン４３ａ（ｍ）が接続されている。ソースドライバ７１は、タイミング制御部２０２から入力される制御信号に応答して、各画素Ａに入力されるべき基準電圧を選択し、選択した基準電圧を画素Ａに供給して液晶分子の回転角度を制御する。
【００２８】
ゲートドライバ７２は、タイミング制御部２０２から入力される制御信号に応答して液晶パネル１０上に配列された薄膜トランジスタ４７のＯＮ／ＯＦＦ制御を行う。液晶パネル１０上のゲートバスライン４３ｂ（１）〜ゲートバスライン４３ｂ（ｎ）に信号を送る。一のゲートバスライン４３ｂに薄膜トランジスタ４７をＯＮにする制御信号を送ると、かかる信号によって、ゲートバスライン４３ｂに接続された各画素の薄膜トランジスタ４７がＯＮになる。ゲートドライバ７２は、ゲートバスライン４３ｂ（１）〜ゲートバスライン４３ｂ（ｎ）に順に薄膜トランジスタ４７をＯＮにする制御信号を送る。
【００２９】
ソースドライバ７１とゲートドライバ７２は信号を同期させている。すなわち、ゲートドライバ７２が一つのゲートバスライン４３ｂに接続された画素をＯＮにする時間に、ソースドライバ７１から当該ゲートバスライン４３ｂに接続された画素を制御する制御信号が送られる。ゲートドライバ７２が一つのゲートバスライン４３ｂに接続された画素をすべてＯＮにする時間は、１水平同期時間と称されることがある。ゲートドライバ７２が一つのゲートバスライン４３ｂに接続された画素をＯＮにすると、当該画素は、当該１水平同期時間、薄膜トランジスタ４７がＯＮになる。また、次の１水平同期時間では、当該ゲートバスライン４３ｂに接続された画素はＯＦＦに制御される。
【００３０】
ソースドライバ７１は、１水平同期時間毎に、各ソースバスライン４３ａ（１）〜ソースバスライン４３ａ（ｍ）に制御信号を送る。これにより、一つのゲートバスライン４３ｂに接続された画素がＯＮになったタイミングで、当該画素Ａに制御信号が送られる。これによって液晶パネル１０は一行ずつ順に画素電極４２に情報が書き込まれる。そして、ゲートバスライン４３ｂ（１）〜ゲートバスライン４３ｂ（ｎ）が順にＯＮに制御されることによって、液晶パネル１０で表示される一画像が形成されている。したがって、映像を時系列に分け、液晶パネル１０に順に一画像を形成することによって、動画を表示することができる。なお、液晶パネル１０で表示される一画像が形成される時間、すなわち、ゲートバスライン４３ｂ（１）〜ゲートバスライン４３ｂ（ｎ）が順番にＯＮになる時間は、フレーム時間と称されることがある。
【００３１】
この液晶表示装置１００は、図７に示すように、液晶パネル１０の複数の画素Ａを２以上のグループに分け、グループＧ１〜Ｇ４毎に、画素Ａに送る信号のクロック周波数の周波数帯を設定している。図７では、液晶パネル１０は、長方形の平面状であり、上下左右にそれぞれ２分割され、４つのグループＧ１〜Ｇ４に分けられている。そして、液晶パネル１０の上下に、各グループ（Ｇ１〜Ｇ４）のソースドライバ７１（Ｇ１）〜７１（Ｇ４）を設けている。制御部２００は、各ソースドライバ７１（Ｇ１）〜７１（Ｇ４）に制御信号を送る。この際、グループＧ１〜Ｇ４に送る制御信号のクロック周波数の周波数帯を異ならせるように構成されている。
【００３２】
この実施形態では、図６に示すように、タイミング制御部２０２は、クロック発生回路２２２と、拡散回路２２４と、分離回路２２６とを備えている。なお、図８は、分離回路２２６で形成される周波数帯を示す図である。
【００３３】
クロック発生回路２２２は、信号の基準クロック周波数ｆ０（図８参照）を定める回路である。また、拡散回路２２４は、クロック発生回路２２２で定められた信号の基準クロック周波数を、一の周波数帯に拡散させる。かかる拡散回路２２４は、クロック信号の周波数を変調させることで、クロック信号の周波数スペクトラムのピーク値を下げることができる。クロック周波数を拡散させる手法は種々の方法を採用することができる。この実施形態では、クロック発生回路２２２および拡散回路２２４として、スペクトラム拡散クロックジェネレータ２２０（ＳＳＣＧ：spread spectrum clock generator）が用いられている。スペクトラム拡散クロックジェネレータ２２０は、周波数変調機能付きクロック発生回路である。
【００３４】
分離回路２２６は、拡散回路２２４によって拡散させた周波数を基準に、異なる複数の周波数帯で拡散させたクロック周波数を形成する。分離回路２２６は、例えば、図８に示すように、スペクトラム拡散クロックジェネレータ２２０で形成された基準クロック周波数の周波数帯Ｂ０に対し、周波数を２％ずらした周波数帯Ｂ１、−２％ずらした周波数帯Ｂ２を設定する。この場合、周波数帯Ｂ１と、周波数帯Ｂ２とでは、４％程度周波数をずらすことができる。また、この実施形態では、スペクトラム拡散クロックジェネレータ２２０で形成された基準クロック周波数の周波数帯Ｂ０に基づいて、同期を保った状態で、周波数をずらして異なる周波数帯Ｂ１、Ｂ２を設定している。このため、分離回路２２６は、所要の調整回路、同期回路を組み合わせるとよい。
【００３５】
なお、周波数帯をずらす量は上記に限定されない。周波数帯は液晶表示装置１００の動作に不具合を生じさせない程度においてずらすとよい。また、分離回路２２６で設定される異なる周波数帯には、基準クロック周波数の周波数帯Ｂ０が含まれていてもよい。また、上記の実施例では、２つの異なる周波数帯Ｂ１、Ｂ２を設定しているが、さらに異なる周波数帯を設定してもよい。また、周波数のずらし方は、他の適当な種々の方法を採用することができる。
【００３６】
この液晶表示装置１００は、図７に示すように、液晶パネル１０は上下左右にそれぞれ２分割され、４つの表示領域に分けられている。そして、当該表示領域に合わせて、画素ＡがグループＧ１〜Ｇ４に分けられている。また、当該グループＧ１〜Ｇ４に応じて、それぞれソースドライバ７１（Ｇ１）〜７１（Ｇ４）が設けられている。なお、図示は省略するが、ゲートドライバは、各グループ（Ｇ１〜Ｇ４）のゲートドライバが設けられている。
【００３７】
制御部２００は、各グループＧ１〜Ｇ４に信号を送る際のクロック周波数の周波数帯を設定する。この際、制御部２００は、液晶パネル１０に設定された複数のグループＧ１〜Ｇ４のうち、少なくとも一つのグループには、他のグループと異なる周波数帯を設定する。この実施形態では、例えば、液晶パネル１０は、上下左右にそれぞれ２分割され、４つのグループＧ１〜Ｇ４に分けられている。このうち上側のグループＧ１、Ｇ２と、下側のグループＧ３、Ｇ４とで、異なる周波数帯を設定するとよい。例えば、図８に示すように、基準クロック周波数ｆ０を拡散させた、周波数帯Ｂ０を＋２％ずらした周波数帯Ｂ１を、上側のグループＧ１、Ｇ２に設定する。他方、下側のグループＧ３、Ｇ４には、周波数帯Ｂ０を−２％ずらした周波数帯Ｂ２を設定するとよい。
【００３８】
クロック周波数と液晶パネル１０から生じる不要輻射ノイズのピーク（最もノイズの大きい周波数）とは概ね相関関係がある。この場合、図９に示すように、上側のグループＧ１、Ｇ２によって生じる不要輻射ノイズＮ１のピークＰＮ１は周波数帯Ｂ１によって定まる。他方、下側のグループＧ３、Ｇ４によって生じる不要輻射ノイズＮ２のピークＰＮ２は周波数帯Ｂ２によって定まる。周波数帯Ｂ１とＢ２には、概ね４％程度のずれがある。このため、液晶パネル１０の上側の表示領域で生じる不要輻射ノイズＮ１のピークＰＮ１と、下側の表示領域で生じる不要輻射ノイズＮ２のピークＰＮ２とはずれる。
【００３９】
これにより液晶パネル１０全体として生じる不要輻射ノイズのピークＰＯはそれほど高くならない。これに対して、液晶パネル１０全体で信号を送るクロック周波数を同じにすると、図１０に示すように、不要輻射ノイズＮＸのピークの周波数領域ＰＢが重なり、液晶パネル１０全体として不要輻射ノイズＮＴのピークＰＴが極めて高くなる。液晶パネルは、ＴＶ用などにおいて、表示領域が大きくなり、画素数も極めて多くなりつつある。このため、制御信号を送るバスライン４３ａ〜４３ｃの本数も多くなる。そのような大型の液晶パネル１０において、全ての画素の制御信号のクロック周波数が同じ周波数帯であると、不要輻射ノイズＮＴのピークＰＴもかなり大きくなる場合がある。
【００４０】
この液晶表示装置１００は、図７に示すように、液晶パネル１０の複数のグループＧ１〜Ｇ４のうち、グループＧ１、Ｇ２には、他のグループＧ３、Ｇ４と異なる周波数帯を設定することができる。このため、グループＧ１、Ｇ２、グループＧ３、Ｇ４において、不要輻射ノイズのピークが出る周波数をずらすことができる。これにより、大型の液晶パネル１０が用いられていても液晶表示装置１００全体として不要輻射ノイズのピークを低減させることができ、不要輻射ノイズの影響を小さくすることができる。
【００４１】
また、制御部２００は、信号の基準クロック周波数を定めるクロック発生回路２２２と、クロック発生回路で定められた信号の基準クロック周波数を一の周波数帯に拡散させる拡散回路２２４とを備えている。そして、分離回路２２６によって、拡散した周波数帯を基準に異なる周波数帯を形成し、当該分離回路２２６によって形成された周波数帯に基づいて、液晶パネル１０に設定された複数のグループに周波数帯を設定している。したがって、液晶パネル１０全体を同期させて制御することができる。これにより、液晶パネル１０により確実に適切な画像を表示させることができる。
【００４２】
また、この実施形態では、クロック発生回路２２２および拡散回路２２４として、スペクトラム拡散クロックジェネレータ２２０が設けられている。このため装置構成が簡素化でき、基準クロック周波数を適切に拡散させることができる。
【００４３】
また、この実施形態では、液晶パネル１０は、連続した表示領域に配設された画素Ａを一つのグループに設定している。この場合、ソースドライバ７１やゲートドライバ７２などの周辺機器を集約して配設できることができ、装置をコンパクトに構成することができる。なお、液晶パネル１０に設定する画素ＡのグループＧ１〜Ｇ４は、上記分け方に限定されない。
【００４４】
また、上述した実施形態では、液晶パネル１０を上下左右にそれぞれ２分割し、４つのグループＧ１〜Ｇ４を設定している。そして、上側のグループＧ１、Ｇ２と、下側のグループＧ３、Ｇ４とで、クロック周波数を異なる周波数帯に設定している。この場合、液晶パネル１０に設定された４つのグループＧ１〜Ｇ４の全てについて、クロック周波数を異なる周波数帯に設定してもよい。また、少なくとも一つのグループに、他のグループとは異なる周波数帯が設定されることによって、液晶表示装置１００全体として不要輻射ノイズのピークを低く抑えることができる。このため、グループＧ１〜Ｇ４から選択される一のグループに、他のグループとは異なる周波数帯を設定してもよい。例えば、上述した実施形態では、グループＧ１のみに、他のグループＧ２〜Ｇ４とは異なる周波数帯を設定してもよい。
【００４５】
以上、本発明の一実施形態として、液晶表示装置１００を例に、本発明を説明したが、本発明は上記の実施形態には限定されず、種々の変更が可能である。
【００４６】
上述した実施形態では、液晶パネルは、長方形の平面形状の形態を例示したが、液晶パネルの形状は、長方形に限定されない。また、液晶パネルは、平面形状のものでなくてもよい。また、上述した実施形態では、表示装置として液晶表示装置を例示したが、表示部は液晶パネルでなくてもよく、例えば、画素として発光ダイオードが配列された有機ＥＬなどの表示装置でもよい。この場合、表示部に設定するグループの分け方は、自由度があり、上下左右にそれぞれ２分割する形態に限定されない。
【図面の簡単な説明】
【００４７】
【図１】本発明の一実施形態に係る液晶表示装置を示す断面図。
【図２】本発明の一実施形態に係る液晶表示装置の液晶パネルを示す断面図。
【図３】本発明の一実施形態に係る液晶表示装置のアレイ基板の画素領域部分を示す平面図。
【図４】本発明の一実施形態に係る液晶表示装置のカラーフィルタ基板の画素領域部分を示す平面図。
【図５】本発明の一実施形態に係る液晶表示装置の画素に構成される回路図。
【図６】本発明の一実施形態に係る液晶表示装置の駆動構造を示すブロック図。
【図７】本発明の一実施形態に係る液晶表示装置の液晶パネルのグループを示す平面図。
【図８】本発明の一実施形態に係る液晶表示装置で形成される周波数帯を示す図である。
【図９】本発明の一実施形態に係る液晶表示装置の不要輻射ノイズを示す図。
【図１０】比較例としての液晶表示装置の不要輻射ノイズを示す図。
【符号の説明】
【００４８】
１０  液晶パネル（表示部）
１０ａ  画素領域
１１  カラーフィルタ基板
１２  アレイ基板
１３  液晶層
１５  シール材
１７、１８  偏光板
２０  バックライト
２２  光源
２４  バックライトシャーシ
２６  光学シート
３０  ベゼル
３２  フレーム
４１  ガラス基板（アレイ基板のガラス基板）
４２  画素電極
４３ａ  ソースバスライン
４３ｂ  ゲートバスライン
４３ｃ  Ｃｓバスライン
４４  平坦化層
４６  配向膜（水平配向膜）
４７  薄膜トランジスタ
５１  ガラス基板（カラーフィルタ基板のガラス基板）
５２  ブラックマトリクス
５３  カラーフィルタ
５４  平坦化層
５５  対向電極
５６  配向膜（水平配向膜）
５９  スペーサ
７１  ソースドライバ
７２  ゲートドライバ
１００  液晶表示装置（表示装置）
２００  制御部
２０１  信号入力部
２０２  タイミング制御部
２０３  電源
２２０  スペクトラム拡散クロックジェネレータ
２２２  クロック発生回路
２２４  拡散回路
２２６  分離回路
Ａ  画素
ＡＲ、ＡＧ、ＡＢ  サブ画素
Ｂ０、Ｂ１、Ｂ２  周波数帯
Ｃｓ  補助容量
ｆ０  基準クロック周波数
Ｇ１〜Ｇ４  グループ
Ｎ１、Ｎ２、ＮＴ、ＮＸ  不要輻射ノイズ
【図１】
2010134162.tif 000003
【図２】
2010134162.tif 000004
【図３】
2010134162.tif 000005
【図４】
2010134162.tif 000006
【図５】
2010134162.tif 000007
【図６】
2010134162.tif 000008
【図７】
2010134162.tif 000009
【図８】
2010134162.tif 000010
【図９】
2010134162.tif 000011
【図１０】
2010134162.tif 000012